(57)【要約】【課題】携帯電話などの情報端末に対して、その位置の正確な緯度・経度情報を提供する位置データ提供システムを提供することである。【解決手段】特定現場位置に表示した現場位置情報を送信するための情報端末１と、この情報端末と接続可能なコンピュータＳ１とを備え、上記コンピュータには、上記情報端末から情報を受信する受信手段４と、上記情報端末に情報を送信する送信手段５と、上記現場位置情報とその現場位置情報に対応した緯度・経度情報とを関連させて記憶する緯度・経度情報記憶手段７と、この緯度・経度情報記憶手段に記憶された緯度・経度情報のなかから、上記受信手段で受信した現場位置情報に対応する緯度・経度情報を特定するとともに、それを上記送信手段を介して情報端末に送信する処理手段６とを備えた。【選択図】　図１
2004020365.tif 000002
【特許請求の範囲】
【請求項１】
特定現場位置に表示した現場位置情報を送信するための携帯電話などの情報端末と、この情報端末と接続可能なコンピュータとを備え、上記コンピュータには、上記情報端末からの現場位置情報を受信する受信手段と、上記情報端末に情報を送信する送信手段と、上記現場位置情報とその現場位置情報に対応した緯度・経度情報とを関連させて記憶する緯度・経度情報記憶手段と、この緯度・経度情報記憶手段に記憶された緯度・経度情報のなかから、上記受信手段で受信した現場位置情報に対応する緯度・経度情報を特定するとともに、それを上記送信手段を介して情報端末に送信する処理手段とを備えた位置データ提供システム。
【請求項２】
コンピュータは、緯度・経度情報に関連づけたサービス情報のサイトにつながるメニュー画面を記憶するメニュー記憶手段を備え、処理手段は、情報端末から受信した現場位置情報に基づいて特定した緯度・経度情報に関連したメニュー画面を情報端末へ送信する機能を備えた請求項１に記載の位置データ提供システム。
【請求項３】
コンピュータは、現場位置情報あるいは緯度・経度情報に対応づけたサービス情報を記憶するサービス情報記憶手段を備えるとともに、処理手段は、情報端末から受信した現場位置情報に基づいて対応するサービス情報を情報端末へ送信する機能を備えた請求項１または２に記載の位置データ提供システム。
【請求項４】
緯度・経度情報記憶手段は、緯度・経度情報に、階層や部署などの詳細特定情報を付加して、それを現場位置情報に対応させて記憶する請求項１〜３のいずれか１に記載の位置データ提供システム。
【発明の詳細な説明】
【０００１】
【発明の属する技術分野】
この発明は、携帯電話などの情報端末に対し、その位置を特定する位置データを提供するシステムに関する。
【０００２】
【従来の技術】
従来から、ユーザーが、インターネットを介して、自分の現在地周辺の地図や、その周辺のサービス情報を取得するシステムがある。
ユーザーが、自分の現在地に関連する情報を取得するためには、地図情報や地域情報を提供するサイトのホームページにアクセスして、そこから、自分の現在地を特定して、必要な情報を検索しなければならない。現在地を特定する「方法として、例えば、「関東」→「東京都」→「渋谷区」→「渋谷」→「２丁目」といように、広い範囲から順に範囲を狭めて、現在地を特定してゆく方法や、「東京都渋谷区渋谷２−…」というように、現在地の住所を入力する方法などがある。
ただし、地図が必要となるのは、外出先で自分の位置がよくわからない場合が多いため、そのようなときには、上記のように、現時点の住所をいきなり入力するのは難しい。
【０００３】
そこで、ユーザーに、その現在地を教えるシステムとして、次のようなシステムが考えられている。
ユーザーが、ＧＰＳ（ｇｌｏｂａｌ　ｐｏｓｉｔｉｏｎｉｎｇ　ｓｙｓｔｅｍ）機能を搭載した携帯電話を用いて、位置データを提供するサイトにアクセスすると、位置データが送信されるというものである。このシステムは、衛星からの信号を受信して、受信機である携帯電話の位置を緯度・経度で特定するものである。
あるいは、携帯電話から複数のアンテナに届いた信号波の強弱に応じて、その携帯電話の位置を特定するサービスもある。
【０００４】
【発明が解決しようとする課題】
しかし、位置を特定する方法として、ＧＰＳを利用した場合には、携帯電話の位置として特定される緯度・経度は、実際には、数十（ｍ）程度の誤差が生じるし、ビルの陰やビル内では、衛星からの電波を受信し難いという問題がある。
一方、携帯電話のアンテナを利用した位置特定方法においても、その位置特定精度がアンテナの設置間隔に依存してしまう。
どちらにしても、携帯電話などの端末の正確な緯度・経度情報をユーザー側で取得することは難しかった。
【０００５】
そこで、例えば、特定の店先で、上記の方法で特定された緯度・経度情報に対応するその店のホームページを取得しようとしても、隣接する別の店舗との区別が付かないため、求めるホームページを表示させることができないということが起こってしまったり、狭い範囲に限定した詳細な地図を表示させようとしても、現在地をピンポイントで特定できないため、広範囲の地図からユーザーが絞り込んでいかなかればならなかった。
この発明の目的は、携帯電話などの情報端末に対して、その位置の正確な緯度・経度情報を提供する位置データ提供システムを提供することである。
【０００６】
【課題を解決するための手段】
第１の発明は、特定現場位置に表示した現場位置情報を送信するための携帯電話などの情報端末と、この情報端末と接続可能なコンピュータとを備え、上記コンピュータには、上記情報端末からの現場位置情報を受信する受信手段と、上記情報端末に情報を送信する送信手段と、上記現場位置情報とその現場位置情報に対応した緯度・経度情報とを関連させて記憶する緯度・経度情報記憶手段と、この緯度・経度情報記憶手段に記憶された緯度・経度情報のなかから、上記受信手段で受信した現場位置情報に対応する緯度・経度情報を特定するとともに、それを上記送信手段を介して情報端末に送信する処理手段とを備えた点に特徴を有する。
【０００７】
第２の発明は、コンピュータは、緯度・経度情報に関連づけたサービス情報のサイトにつながるメニュー画面を記憶するメニュー記憶手段を備え、処理手段は、情報端末から受信した現場位置情報に基づいて特定した緯度・経度情報に関連したメニュー画面を情報端末へ送信する機能を備えた点に特徴を有する。
【０００８】
第３の発明は、コンピュータは、現場位置情報あるいは緯度・経度情報に対応づけたサービス情報を記憶するサービス情報記憶手段を備えるとともに、処理手段は、情報端末から受信した現場位置情報に基づいて対応するサービス情報を情報端末へ送信する機能を備えた点に特徴を有する。
なお、上記「情報端末から受信した現場位置情報に基づいて対応するサービス情報を…」には、受信した現場情報に基づいて、緯度・経度情報を特定し、さらに、その緯度・経度情報に対応するサービス情報を特定して送信する場合も含む。
第４の発明は、緯度・経度情報記憶手段は、緯度・経度情報に、階層や部署などの詳細特定情報を付加して、それを現場位置情報に対応させて記憶する点に特徴を有する。
【０００９】
【発明の実施の形態】
図１〜図５に、この発明の実施例を示す。
図１に示すように、インターネットなどの通信手段Ｉを介して、位置情報管理サーバーＳ１と、関連情報管理サーバーＳ２と、この発明の情報端末にあたるユーザーの携帯電話１とを接続可能にしている。
【００１０】
そして、上記位置情報管理サーバーＳ１は、図２に示す構成をしている。すなわち、位置情報管理サーバーＳ１は、ユーザーの携帯電話１からのデータを受信する受信手段４と、データを携帯電話１へ送信する送信手段５と、データを処理する処理手段６とを備えている。
また、位置情報管理サーバーＳ１には、緯度・経度情報記憶手段７と、メニュー記憶手段８と、サービス情報記憶手段９とを備えている。
【００１１】
上記緯度・経度情報機構手段７には、図３に示す対応テーブルＴ１が記憶されているが、この対応テーブルＴ１は、現場位置情報と緯度・経度情報とを対応させたものである。現場位置情報とは、特定現場位置に、その位置を特定する情報として設けたもので、例えば、店舗の壁に貼ったシールに表示したデータである。この現場位置情報は、例えば、図３に示すように数字などで表すことができ、その現場位置の緯度・経度情報に対応して１つだけ設定したものである。つまり、上記現場位置情報と緯度・経度情報とは１対１で対応している。
【００１２】
そして、現場位置情報を表示した現場は、このシステムによって、位置データとしての緯度・経度情報をユーザーに提供できる現場である。例えば、ある店舗の壁に現場位置情報「０００１２３５６」が表示されたシールが貼ってあった場合、この現場位置情報に対応する緯度・経度情報は、「北緯Ａ１東経Ｂ１」である（図３参照）。つまり、上記店舗は、北緯Ａ１東経Ｂ１にあるということである。
また、メニュー記憶手段８は、位置情報管理サーバーＳ１にアクセスし、そこの現場位置情報を送信してきた携帯電話１に対して、現場位置に対応した関連情報を提供するサイトのメニューを記憶する手段である。
【００１３】
図４には、上記メニュー記憶手段８に機構されているメニューの一例で、それを携帯電話１のディスプレイに表示した状態を示している。
図４のメニュー画面１０には、現在地の住所１１ａ、その場所に有るレストラン名１１ｂ、交通案内１１ｃなどのサービス情報を表示したサービス情報欄１１と、別のサイトにリンクするボタンとして「周辺の案内」１２、マップ１３、「タクシー」１４が表示されている。
【００１４】
上記サービス情報欄１１のサービス情報は、位置情報管理サーバーＳ１のサービス情報記憶手段９に記憶された情報である。そして、サービス情報は、例えば、現場の住所などその位置によって異なる情報なので、サービス情報記憶手段９には、複数のサービス情報が、現場位置情報あるいは緯度・経度情報に対応づけて記憶されている。したがって、処理手段６は、現場位置情報あるいは緯度・経度情報によって、必要なサービス情報を抽出して、上記メニュー画面１０に当てはめて、携帯電話１へ表示させるようにしている。
【００１５】
なお、図４の「周辺の案内」１２には、後で説明する関連情報管理サーバーＳ２の周辺案内サイト２のＵＲＬが貼り付けられていて、ここをクリックすると上記周辺サイト２へリンクするようにしている。また、上記マップ１３も、そこをクリックすると、関連情報管理サーバーＳ２のマップサイト３へリンクするようにしている。
さらに、「タクシー」１４は、図示しないサーバーで管理されるタクシー会社のサイトにリンクするようにしている。
【００１６】
一方、関連情報管理サーバーＳ２には、周辺案内サイト２と、マップサイト３とを備えているが、この周辺案内サイト２は、特定の地点ごとに、その周辺案内のページを表示する機能を備えたサイトであり、マップサイト３は、上記特定の地点ごとに、そこを中心とした非常に狭い範囲の地図のページを表示する機能を備えたサイトである。そして、これら周辺案内サイト２およびマップサイト３の各ページが、この発明のサービス情報のサイトにあたる。
このサービス情報は、必ずしも周辺案内やマップに限るものでなく、緯度・経度に関連した全ての情報サイトに有効である。
【００１７】
さらに、この関連情報管理サーバーＳ２は、上記周辺案内サイト２と、マップサイト３は、それぞれのサイトの各ページを、対応する地点の緯度・経度情報に対応づけた図５に示す対応テーブルＴ２を備えている。そして、緯度・経度情報が特定されれば、対応するピンポイント情報のページを、携帯電話１に表示させるようにしている。
例えば、緯度経度情報として「Ａ１・Ｂ２」が特定されれば、ＵＲＬ「Ｕ１」のページを表示させるというものである。
【００１８】
以下に、このシステムの利用例を説明する。
ユーザーは、シールなどによって現場位置情報が表示されている場所に居るものとする。そして、自分の携帯電話１で位置情報管理サーバーＳ１にアクセスして、上記現場位置情報を送信する。具体的には、サーバーＳ１の位置情報提供サイトにアクセスし、その中の現場位置情報入力画面に、上記現場位置情報を入力する。あるいは、携帯電話１に位置情報管理サーバーＳ１に自動的にアクセスする機能を備えて、現場位置情報を入力してから特定のボタンを押せば、上記現場位置情報が位置情報管理サーバーＳ１に送信されるようにすることもできる。
【００１９】
現場位置情報を受信した位置情報管理サーバーＳ１の処理手段６は、その現場位置情報に対応する緯度・経度情報を、緯度・経度情報記憶手段７から抽出して、それを、メニュー記憶手段８のメニューとともに送信手段５を介して、携帯電話１へ送信する。例えば、携帯電話１から現場位置情報「０００１２３４５６」が送信された場合、携帯電話１には、緯度・経度情報「北緯Ａ１東経Ｂ１」が送信される。
このようにして、携帯電話１が受信した緯度・経度情報は、上記現場位置情報に対応した情報なので、その地点のみに対応した正確な位置データである。つまり、位置情報管理サーバーＳ１は、この発明の情報端末である携帯電話１に対して、正確な位置データを提供することができる。
【００２０】
なお、この実施例では、ユーザーの携帯電話１は、自身の正確な位置データである緯度・経度情報を受信するだけでなく、その位置データに関連するサービス情報を、関連情報管理サーバーＳ２から得るられるようにしている。そのため、位置情報管理サーバーＳ１から、携帯電話１に対して上記緯度・経度情報とともに、関連情報管理サーバーＳ２のサイトにリンクするサービス情報メニューを送信するようにしている。
また、図４のメニュー画面１０のサービス情報欄１１には、上記緯度・経度情報に対応したサービス情報をはめ込んでもよい。
ただし、この発明の位置データ提供システムには、携帯電話１に緯度・経度情報を送信し、ユーザーに自分の位置を知らせるだけのシステムも含まれる。
【００２１】
さらに、上記メニュー画面１０を受け取ったユーザーが、その場所の周辺案内を見たい場合には、「周辺の案内」１２をクリックする。すると、携帯電話１は、関連情報サーバーＳ２の周辺案内サイト２にリンクするが、そのときには、上記緯度・経度情報「北緯Ａ１東経Ｂ１」が関連情報管理サーバーＳ２へ送られる。そこで、この緯度・経度情報を受信した関連情報管理サーバーＳ２は、図５に示す対応テーブルＴ２から、上記緯度経度情報に対応する情報を特定して、その情報ページを携帯電話１に表示させる。
【００２２】
同様に、その地点を中心とするピンポイントマップを見たい場合には、図４の画面の「マップ」１３から、関連情報サーバーＳ２のマップサイト３にリンクすることができる。このときにも、関連情報管理サーバーＳ２は、受信した緯度・経度情報に基づいてマップサイト３の特定のピンポイントマップを表示させるようにする。
【００２３】
また、「タクシー」１４から、タクシー会社の、受付画面にリンクさせて、その画面から、タクシーを呼ぶことができる。その場合、上記携帯電話１は、自分の位置データである緯度・経度情報を送信しているので、タクシー会社側では、受信した緯度・経度情報から、客の正確な位置を特定することができる。例えば、客が、広い通りのどちら側で待っているかということまで、すぐにわかるので、そこに向かうために、最適な場所にいるタクシーを選ぶことができる。
【００２４】
上記「タクシー」の代りに、例えば、上記メニュー画面１０に「緊急連絡センター」「１１０、１１９通報」などの表示をするとともに、その関連サイトにリンクさせるようにしてもよい。その場合も、「タクシー」と同様に「緊急連絡センター」「１１０、１１９通報」の表示部分から、緊急連絡センターや、警察署などに接続することができる。そして、緊急連絡センターや警察署側では、緯度・経度情報を受信して、送信者の正確な位置を特定することができるため、的確でスピーディーな応対が可能となる。
【００２５】
つまり、ユーザーは、自分の携帯電話１が受け取った緯度・経度情報を転送することによって、ときには、自分でもわからない自分の正確な位置を他者へ知らせることができる。
上記のように、ユーザーに、正確な位置データを提供できるため、ユーザーは、取得した位置データによって、位置データに関連する情報を得ることもできる。
【００２６】
なお、この実施例では、メニューの中に、その地点に係わる簡単なサービス情報を表示させるようにしているが、メニューには、サービス情報を含まないようにしてもかまわない。また、上記サービス情報の中の、例えば、「レストラン××」というようなレストラン名１１ｂから、その詳細情報を示すサイトにリンクするようにしてもよい。そして、この詳細情報のサイトは、位置情報管理サーバーＳ１のサービス情報記憶手段９に記憶させておくようにしても良いし、他のサーバーに記憶させるようにしてもよい。また、関連情報管理サーバーＳ２やその他のサーバーで管理するサービス情報も、上記位置情報管理サーバーＳ１で管理するようにしても良い。
【００２７】
ただし、位置情報管理サーバーＳ１と関連情報管理サーバーＳ２とを、別々に設ければ、位置情報管理サーバーＳ１は、提供するメニューにおいて、ウエブ上にある種々なサービス情報に応じたリンク先を指定するだけで、様々なサービス情報を提供できるようになる。位置情報管理サーバーＳ１自身は、大量のサービス情報を記憶しておく必要がない。
【００２８】
また、位置データとして、緯度・経度情報を採用したのは、緯度・経度が、地球面上の位置を特定する位置データとして一般的かつ汎用性が有るからである。例えば、新たに、サービス情報を提供しようとした場合、特別なルールを決めなくても、緯度・経度情報にサービス情報を対応づけることは簡単である。
また、緯度・経度情報に、階層や部署などの詳細特定情報を付加するようにすれば、同じ緯度・経度でも高さが違う場所や極狭い部署単位に、それぞれ、異なるサービス情報を対応づけることができる。例えば、同じビル内で、別の階にある店舗や同じ店舗内のコーナー毎の情報ページを別々に提供できる。
【００２９】
【発明の効果】
この発明のシステムによれば、特定の地点を、ピンポイントで特定することができる位置データを提供することができる。そのため、ユーザーが、自分の正確な位置を知ったり、それを他者に知らせたりすることもできる。
また、位置データに関連するサービス情報が、ピンポイントの情報の場合にも、的確なサービス情報を特定してそれを提供することができる。
【００３０】
第２、第３の発明によれば、緯度・経度情報に対応したさまざまなサービス情報を提供することができるようになる。
特に、第３の発明は、コンピュータが提供するメニューにおいてリンク先を指定するだけで、様々なサービスを提供することができる。そして、サービス情報の追加や更新は、それぞれのリンク先で行えば良いので、コンピュータに、それほど大きな負担をかけなくても、提供するサービス情報の種類を増やる？？ことができる。
【００３１】
第４の発明によれば、同じ緯度・経度でも、階の違う場所やより狭いコーナーの情報を、別々に提供することができるようになる。したがって、ユーザーは、必要なデータだけ、受け取ることができる。
【図面の簡単な説明】
【図１】実施例のシステムの全体構成図である。
【図２】実施例の位置情報管理サーバーの機能を示したブロックである。
【図３】実施例の現場位置情報と緯度・経度情報との対応テーブルである。
【図４】実施例のメニュー画面を示した図である。
【図５】実施例の緯度・経度情報とサービス情報のＵＲＬとの対応テーブルを示した図である。
【符号の説明】
Ｓ１　　　　　位置情報管理サーバー
１　　　　　　携帯電話
４　　　　　　受信手段
５　　　　　　送信手段
６　　　　　　処理手段
７　　　　　　緯度・経度情報記憶手段
８　　　　　　メニュー記憶手段
９　　　　　　サービス情報記憶手段
１０　　　　　メニュー画面
【図１】
2004020365.tif 000003
【図２】
2004020365.tif 000004
【図３】
2004020365.tif 000005
【図４】
2004020365.tif 000006
【図５】
2004020365.tif 000007
【手続補正書】
【提出日】平成14年6月17日(2002.6.17)
【手続補正１】
【補正対象書類名】明細書
【補正対象項目名】００３０
【補正方法】変更
【補正の内容】
【００３０】
第２、第３の発明によれば、緯度・経度情報に対応したさまざまなサービス情報を提供することができるようになる。
特に、第３の発明は、コンピュータが提供するメニューにおいてリンク先を指定するだけで、様々なサービスを提供することができる。そして、サービス情報の追加や更新は、それぞれのリンク先で行えば良いので、コンピュータに、それほど大きな負担をかけなくても、提供するサービス情報の種類を増やすことができる。